(57)【要約】【課題】操作性を向上させることができる操作入力装置を提供する。【解決手段】タッチパネル１は、空調装置４が実行する機能が割り当てられた第１の操作領域１０５と第２の操作領域１０６、及び隣接する第１の操作領域１０５と第２の操作領域１０６の間に位置する境界領域１０７、に区画される操作面１００になされた操作を検出するタッチパッド１０と、境界領域１０７のうち、操作が検出された境界領域１０７に隣接する第１の操作領域１０５と第２の操作領域１０６に割り当てられた機能の状態を、当該境界領域１０７で検出された操作の軌跡に基づいて連動して変更するように空調装置４を制御する制御情報Ｓ５を出力する制御部１６と、を備えて概略構成されている。【選択図】図５
2015156082.tif 000002
【特許請求の範囲】
【請求項１】
被操作装置が実行する機能が割り当てられた複数の操作領域、及び隣接する操作領域の間に位置する少なくとも１つの境界領域に区画される操作面になされた操作を検出する操作検出部と、
前記少なくとも１つの境界領域のうち、操作が検出された境界領域に隣接する操作領域に割り当てられた機能の状態を、当該境界領域で検出された操作の軌跡に基づいて連動して変更するように前記被操作装置を制御する制御情報を出力する制御部と、
を備えた操作入力装置。
【請求項２】
前記制御部は、前記境界領域で検出された前記操作の軌跡に基づいて、前記隣接する操作領域の一方の操作領域に対応する操作方向、及び他方の操作領域に対応する操作方向、を判定した結果に基づいた前記制御情報を出力する、
請求項１に記載の操作入力装置。
【請求項３】
前記制御部は、前記隣接する操作領域が並ぶ方向と交差する方向の操作の軌跡が前記境界領域で検出され、当該操作の軌跡の始点側の一方の操作領域の操作方向を判定した結果と、他方の操作領域の操作方向が、判定した前記一方の操作領域の操作方向と逆方向であると判定した結果と、を含む前記制御情報を出力する、
請求項１又は２に記載の操作入力装置。
【発明の詳細な説明】
【技術分野】
【０００１】
本発明は、操作入力装置に関する。
【背景技術】
【０００２】
従来の技術として、２次元に延在する操作面を備える操作パネルと、処理装置と、を備えた操作装置が知られている（例えば、特許文献１参照。）。
【０００３】
この操作装置の処理装置は、ユーザ入力により指示される操作パネルの操作面上の２次元位置に基づいて、第１の制御パラメータが操作面上の第１の軸方向の位置に応じて設定され且つ第２の制御パラメータが操作面上の第２の軸方向の位置に応じて設定される態様で、車載機器を制御するための２つの独立した制御パラメータを連動して設定することができる。
【先行技術文献】
【特許文献】
【０００４】
【特許文献１】特開２０１３−１４２１２号公報
【発明の概要】
【発明が解決しようとする課題】
【０００５】
しかし、従来の操作装置は、第１の制御パラメータに応じた第１の軸方向の長さ、及び第２の制御パラメータに応じた第２の軸方向の長さ、に基づく面積を少なくとも有する操作面が必要であり、小型化が困難であると共に、設定のために操作面を注視する必要が有り、操作性が良くない問題がある。
【０００６】
従って、本発明の目的は、操作性を向上させることができる操作入力装置を提供することにある。
【課題を解決するための手段】
【０００７】
本発明の一態様は、被操作装置が実行する機能が割り当てられた複数の操作領域、及び隣接する操作領域の間に位置する少なくとも１つの境界領域に区画される操作面になされた操作を検出する操作検出部と、少なくとも１つの境界領域のうち、操作が検出された境界領域に隣接する操作領域に割り当てられた機能の状態を、当該境界領域で検出された操作の軌跡に基づいて連動して変更するように被操作装置を制御する制御情報を出力する制御部と、を備えた操作入力装置を提供する。
【発明の効果】
【０００８】
本発明によれば、操作性を向上させることができる。
【図面の簡単な説明】
【０００９】
【図１】図１（ａ）は、第１の実施の形態に係るタッチパネルが配置された車両内部の概略図であり、図１（ｂ）は、タッチパネルの分解斜視図であり、図１（ｃ）は、タッチパネルを操作面側から見た概略図である。
【図２】図２（ａ）は、第１の実施の形態に係るタッチパネルのブロック図であり、図２（ｂ）は、タッチパネルが電磁気的に接続される車両通信システムのブロック図である。
【図３】図３（ａ）〜図３（ｄ）は、第１の実施の形態に係るタッチパネルの設定温度と風量を連動して調整する第１の軌跡〜第４の軌跡を示す概略図である。
【図４】図４（ａ）〜図４（ｄ）は、第１の実施の形態に係るタッチパネルの設定温度と風量を連動して調整する第５の軌跡〜第８の軌跡を示す概略図である。
【図５】図５は、第１の実施の形態に係るタッチパネルの動作を示すフローチャートである。
【図６】図６（ａ）は、第２の実施の形態に係るタッチパネルを操作面側から見た概略図であり、図６（ｂ）は、第３の実施の形態に係るタッチパネルを操作面側から見た概略図である。
【図７】図７（ａ）は、第４の実施の形態に係るタッチパネルの操作領域を示す概略図であり、図７（ｂ）は、第５の実施の形態に係るタッチパッドの第１の境界領域になされた操作の軌跡を示す概略図であり、図７（ｃ）は、第１の境界領域から第２の境界領域に跨ってなされた操作の軌跡を示す概略図である。
【発明を実施するための形態】
【００１０】
（実施の形態の要約）
実施の形態に係る操作入力装置は、被操作装置が実行する機能が割り当てられた複数の操作領域、及び隣接する操作領域の間に位置する少なくとも１つの境界領域に区画される操作面になされた操作を検出する操作検出部と、少なくとも１つの境界領域のうち、操作が検出された境界領域に隣接する操作領域に割り当てられた機能の状態を、当該境界領域で検出された操作の軌跡に基づいて連動して変更するように被操作装置を制御する制御情報を出力する制御部と、を備えて概略構成されている。
【００１１】
この操作入力装置は、境界領域になされた操作の軌跡に基づいて、この境界領域に隣接する操作領域に割り当てられた機能の状態を連動して変更することができるので、別々に操作を行う場合と比べて、操作性が向上する。
【００１２】
[第１の実施の形態]
（タッチパネル１の構成）
図１（ａ）は、第１の実施の形態に係るタッチパネルが配置された車両内部の概略図であり、図１（ｂ）は、タッチパネルの分解斜視図であり、図１（ｃ）は、タッチパネルを操作面側から見た概略図である。図２（ａ）は、第１の実施の形態に係るタッチパネルのブロック図であり、図２（ｂ）は、タッチパネルが電磁気的に接続される車両通信システムのブロック図である。なお、以下に記載する実施の形態に係る各図において、図形間の比率は、実際の比率とは異なる場合がある。また図２（ａ）及び図２（ｂ）では、主な信号や情報の流れを矢印で示している。
【００１３】
操作入力装置としてのタッチパネル１は、例えば、図１（ａ）に示すように、車両３の運転席と助手席との間に位置するセンターコンソール３０に配置されている。このタッチパネル１は、図１（ｂ）に示すように、操作検出部としてのタッチパッド１０が表示部１２に重なるように配置されている。なお、タッチパネル１は、タッチパッド１０が表示部１２と重ねて配置される構成に限定されず、離れて配置されても良い。
【００１４】
タッチパネル１は、図２（ｂ）に示すように、車両３に搭載された電子機器として、車両３内に温度調整された空気を送出する空調装置４、記録媒体に記録された音楽を再生する音楽再生装置５、記録媒体に記録された動画を再生する動画再生装置６等から取得した表示画像情報Ｓ４に基づいた表示画像１２０を表示すると共に、タッチパッド１０の操作面１００になされた操作を検出するように構成されている。なお表示画像１２０は、タッチパッド１０を介して表示される。
【００１５】
このタッチパネル１は、図１（ｃ）及び図２（ａ）に示すように、被操作装置が実行する機能が割り当てられた複数の操作領域、及び隣接する操作領域の間に位置する少なくとも１つの境界領域に区画される操作面１００になされた操作を検出するタッチパッド１０と、少なくとも１つの境界領域のうち、操作が検出された境界領域に隣接する操作領域に割り当てられた機能の状態を、当該境界領域で検出された操作の軌跡に基づいて連動して変更するように被操作装置を制御する制御情報Ｓ５を出力する制御部１６と、を備えて概略構成されている。
【００１６】
本実施の形態における複数の操作領域は、第１の操作領域１０５及び第２の操作領域１０６である。また本実施の形態における少なくとも１つの境界領域は、この第１の操作領域１０５と第２の操作領域１０６の間に位置する境界領域１０７である。
【００１７】
ここで、本実施の形態における被操作装置とは、一例として、空調装置４である。また被操作装置が実行する機能とは、例えば、空調装置４が車両３内に送出する空気の温度を設定する機能、送出される風量を設定する機能、及び空気を送出する吹出口を選択する機能等である。
【００１８】
また割り当てられた機能の状態とは、割り当てられた機能が設定温度を設定する機能である場合、設定されている設定温度である。また割り当てられた機能が風量を設定する機能である場合、設定されている風量である。さらに割り当てられた機能が吹出口を選択する機能である場合、設定されている吹出口である。タッチパネル１は、例えば、境界領域１０７に操作がなされた場合、第１の操作領域１０５及び第２の操作領域１０６に割り当てられた二つの機能を連動して変更する制御情報Ｓ５を空調装置４に出力するように構成されている。
【００１９】
なお変形例として、被操作装置が音楽再生装置５及び動画再生装置６である場合、例えば、割り当てられた機能は、運転席と助手席のスピーカーの音量を設定する機能、及び音質を設定する機能等である。
【００２０】
（タッチパッド１０の構成）
タッチパッド１０は、例えば、操作者の体の一部（例えば、指）や専用のペンで操作面１００に触れることにより、触れた操作面１００上の位置を検出するタッチセンサである。操作者は、例えば、操作面１００に操作を行うことにより、接続された空調装置４の操作を行うことが可能となる。
【００２１】
本実施の形態に係るタッチパッド１０は、例えば、操作面１００に指が近づくことによる、電極と指との距離に反比例した電流の変化を検出する静電容量方式のタッチセンサである。またタッチパッド１０は、操作面１００になされた複数の指による操作の検出、つまりマルチタッチの検出を可能とする、相互キャパシタンス方式のタッチセンサである。
【００２２】
このタッチパッド１０は、図１（ｂ）に示すように、ｘｙ座標が操作面１００に設定されている。このｘｙ座標は、直交座標であり、その原点は、例えば、図１（ｃ）の紙面において、操作面１００の左上である。
【００２３】
タッチパッド１０は、操作面１００の下方に設けられた駆動電極としての複数の第１の電極１０１と、受信電極としての複数の第２の電極１０２を備えている。この第１の電極１０１及び第２の電極１０２は、例えば、ＩＴＯ（スズドープ酸化インジウム：Indium Tin Oxide）を用いて形成された透明電極である。
【００２４】
第１の電極１０１は、図１（ｂ）に示すｘ軸に直交するように等間隔で配置されている。また第２の電極１０２は、ｙ軸に直交するように等間隔で配置されている。また第１の電極１０１及び第２の電極１０２は、矩形を有する複数の電極を接続したような形状を有している。
【００２５】
タッチパッド１０は、図１（ｂ）に示すように、６個の第１の電極１０１と、３個の第２の電極１０２と、を備えている。なお、第１の電極１０１及び第２の電極１０２の数は、タッチパッド１０の仕様に応じて任意である。
【００２６】
タッチパッド１０は、制御部１６と電磁気的に接続されている。タッチパッド１０は、制御部１６から出力される駆動信号Ｓ１に基づいて第１の電極１０１が駆動され、第２の電極１０２を介して静電容量が読み出されるように構成されている。この読み出された静電容量は、検出情報Ｓ２として制御部１６に出力される。
【００２７】
なお、上述の電磁気的に接続とは、導電体による接続、電磁波の一種である光による接続、及び電磁波の一種である電波による接続の少なくとも１つを用いた接続である。
【００２８】
（表示部１２の構成）
表示部１２は、例えば、液晶ディスプレイを含んで構成される。この表示部１２は、制御部１６と電気的に接続されている。表示部１２は、制御部１６から取得する表示制御情報Ｓ３に基づいて表示画像１２０を表示するように構成されている。
【００２９】
この表示部１２には、例えば、図１（ｂ）に示すように、第１のノブ表示領域１２１と、第２のノブ表示領域１２２と、温度表示領域１２５と、吹出口表示領域１２６と、風量表示領域１２７と、が表示されている。この第１のノブ表示領域１２１と第２のノブ表示領域１２８とは、例えば、回転式の操作ノブを模して図示された画像である。
【００３０】
第１のノブ表示領域１２１は、図１（ｂ）に示す紙面において表示画像１２０の左側（助手席側）に表示されたドーナツ形状の領域である。この第１のノブ表示領域１２１は、例えば、車両３の内部に送出される温度調整された空気の設定温度の変更を可能とする領域である。この第１のノブ表示領域１２１は、第１のノブ表示領域１２１が投影された操作面１００上の領域に対して、図１（ｃ）の紙面において時計周りの方向（矢印Ａ方向）のなぞり操作が行われると、設定温度が上がり、反時計回りの方向（矢印Ｂ方向）のなぞり操作が行われると、設定温度が下がる機能が割り当てられている。当該領域は、図１（ｃ）に示す第１の操作領域１０５である。
【００３１】
第２のノブ表示領域１２２は、図１（ｂ）に示す紙面において表示画像１２０の右側（運転席側）に表示されたドーナツ形状の領域である。この第２のノブ表示領域１２２は、例えば、温度調整がなされた空気の風量の変更を可能とする領域である。第２のノブ表示領域１２２は、第２のノブ表示領域１２２が投影された操作面１００上の領域に対して、図１（ｃ）の紙面において時計周りの方向（矢印Ａ方向）のなぞり操作が行われると、風量が増加し、反時計回りの方向（矢印Ｂ方向）のなぞり操作が行われると、風量が減少する機能が割り当てられている。当該領域は、図１（ｃ）に示す第２の操作領域１０６である。
【００３２】
つまり操作者は、設定温度を調整するためには、第１の操作領域１０５に対して操作を行い、風量を調整するためには、第２の操作領域１０６に対して操作を行う。
【００３３】
なお操作面１００側からタッチパネル１を見た図面では、タッチパッド１０に投影された第１のノブ表示領域１２１及び第２のノブ表示領域１２２と、第１のノブ表示領域１２１及び第２のノブ表示領域１２２に割り当てられた機能を実行するために操作がなされる第１の操作領域１０５及び第２の操作領域１０６と、は一致するので、操作領域のみを図示している。また温度表示領域１２５、吹出口表示領域１２６及び風量表示領域１２７は、タッチパッド１０を介して操作者に視認されるものとして、名称と符号は、図１（ｂ）に記載されたものと同一としている。
【００３４】
温度表示領域１２５は、吹出口から送出される空気の設定温度を表示する領域である。吹出口表示領域１２６は、温度調整された空気が送出される吹出口を表示する領域である。風量表示領域１２７は、吹出口から送出される空気の風量を表示する領域である。
【００３５】
（通信部１４の構成）
通信部１４は、制御部１６と電気接続されると共に、車両通信システム３５の車両ＬＡＮ（Local Area Network）３６と電磁気的に接続されている。
【００３６】
通信部１４は、車両ＬＡＮ３６を介して、被操作装置から表示画像情報Ｓ４を取得すると共に、制御部１６から取得した制御情報Ｓ５を、車両ＬＡＮ３６を介して被操作装置に出力するように構成されている。
【００３７】
（制御部１６の構成）
制御部１６は、例えば、記憶されたプログラムに従って、取得したデータに演算、加工等を行うＣＰＵ（Central Processing Unit）、半導体メモリであるＲＡＭ（Random Access Memory）及びＲＯＭ（Read Only Memory）等から構成されるマイクロコンピュータである。このＲＯＭには、例えば、制御部１６が動作するためのプログラムが格納されている。ＲＡＭは、例えば、一時的に演算結果等を格納する記憶領域として用いられる。
【００３８】
制御部１６は、境界領域１０７で検出された操作の軌跡に基づいて、隣接する操作領域の一方の操作領域に対応する操作方向、及び他方の操作領域に対応する操作方向、を判定した結果に基づいた制御情報Ｓ５を出力するように構成されている。
【００３９】
つまり制御部１６は、操作の軌跡を求め、求めた軌跡に基づいて、軌跡の始点側の一方の操作領域の操作方向、及び他方の操作領域の操作方向を判定するように構成されている。
【００４０】
制御部１６は、図２（ａ）に示すように、しきい値１６０と、蓄積情報１６１と、画像情報１６２と、軌跡情報１６３と、を備えている。
【００４１】
制御部１６は、タッチパッド１０から取得した検出情報Ｓ２としきい値１６０とを比較し、比較結果に基づいて操作指が検出された座標を算出するように構成されている。
【００４２】
制御部１６は、操作指が検出された座標を、検出された時間と共に、蓄積情報１６１として記憶するように構成されている。
【００４３】
制御部１６は、通信部１４を介して取得した表示画像情報Ｓ４に基づいて表示部１２に表示させる表示画像１２０に応じた画像情報１６２を記憶するように構成されている。制御部１６は、この画像情報１６２に基づいて、第１の操作領域１０５、第２の操作領域１０６及び境界領域１０７を規定すると共に、操作指が検出された座標が、第１の操作領域１０５、第２の操作領域１０６及び境界領域１０７のいずれで検出されたのかの判定を行うように構成されている。
【００４４】
ここで、境界領域１０７は、第１の操作領域１０５と第２の操作領域１０６とで挟まれた領域を少なくとも有すると共に、図１（ｃ）の紙面の上下方向に拡張した領域となっている。この境界領域１０７は、上述の画像情報１６２に含まれていても良いし、予め定められて制御部１６が備える構成としても良い。
【００４５】
また制御部１６は、取得した検出情報Ｓ２と、蓄積情報１６１と、軌跡情報１６３と、に基づいて、操作指の軌跡を判定するように構成されている。制御部１６は、操作がなされた領域と、操作の軌跡と、に基づいて空調装置４に機能を実行させる制御情報Ｓ５を生成して、通信部１４を介して出力するように構成されている。
【００４６】
ここで、機能を連動して変更する判定が行われた場合、制御部１６は、設定温度と風量とを、予め定められた量だけ変更するように制御情報Ｓ５を生成する。なお、制御部１６は、なされた操作の軌跡の長さに基づいて変更する量を定めても良い。
【００４７】
（車両通信システム３５の構成）
車両通信システム３５は、図２（ｂ）に示すように、車両ＬＡＮ３６と、車両制御部３７と、車両に搭載された電子機器と、を備えて概略構成されている。この電子機器とは、一例として、空調装置４、音楽再生装置５及び動画再生装置６である。
【００４８】
車両制御部３７は、ＣＰＵ、ＲＡＭ及びＲＯＭ等から構成されるマイクロコンピュータである。この車両制御部３７は、車両ＬＡＮ３６を制御している。
【００４９】
（設定温度と風量の調整）
図３（ａ）〜図３（ｄ）は、第１の実施の形態に係るタッチパネルの設定温度と風量を連動して調整する第１の軌跡〜第４の軌跡を示す概略図である。図４（ａ）〜図４（ｄ）は、第１の実施の形態に係るタッチパネルの設定温度と風量を連動して調整する第５の軌跡〜第８の軌跡を示す概略図である。
【００５０】
・第１の軌跡１３１について
第１の軌跡１３１は、図３（ａ）の紙面において、境界領域１０７内で、かつ、第１の操作領域１０５の上側から第２の操作領域１０６の上側に向けて行われた操作の軌跡である。制御部１６は、検出された操作の軌跡と、記憶する軌跡情報１６３と、に基づいて軌跡を判定し、判定した軌跡が第１の軌跡１３１であった場合、設定温度を上げると共に、風量を増加させる制御情報Ｓ５を生成する。
【００５１】
具体的には、第１の軌跡１３１は、図３（ａ）の紙面の左上側から右上側に向けてなされた操作の軌跡であることから、第１の操作領域１０５を時計回り（矢印Ａ方向）に、第２の操作領域１０６を時計回り（矢印Ａ方向）になぞる操作に似ている。従って制御部１６は、なされた操作の軌跡が第１の軌跡１３１であると判定した場合、第１の操作領域１０５及び第２の操作領域１０６に矢印Ａ方向のなぞり操作がなされたとする制御情報Ｓ５を生成する。
【００５２】
・第２の軌跡１３２について
第２の軌跡１３２は、図３（ｂ）の紙面において、境界領域１０７内で、かつ、第２の操作領域１０６の上側から第１の操作領域１０５の上側に向けて行われた操作の軌跡である。制御部１６は、検出された操作の軌跡と、記憶する軌跡情報１６３と、に基づいて軌跡を判定し、判定した軌跡が第２の軌跡１３２であった場合、設定温度を下げると共に、風量を減少させる制御情報Ｓ５を生成する。
【００５３】
具体的には、第２の軌跡１３２は、図３（ｂ）の紙面の右上側から左上側に向けてなされた操作の軌跡であることから、第１の操作領域１０５を反時計回り（矢印Ｂ方向）に、第２の操作領域１０６を反時計回り（矢印Ｂ方向）になぞる操作に似ている。従って制御部１６は、なされた操作の軌跡が第２の軌跡１３２であると判定した場合、第１の操作領域１０５及び第２の操作領域１０６に矢印Ｂ方向のなぞり操作がなされたとする制御情報Ｓ５を生成する。この第２の軌跡１３２は、第１の軌跡１３１の実質的に反対方向の軌跡となっている。
【００５４】
・第３の軌跡１３３について
第３の軌跡１３３は、図３（ｃ）の紙面において、境界領域１０７内で、かつ、第１の操作領域１０５の下側から第２の操作領域１０６の上側に向かってなされた操作の軌跡である。制御部１６は、検出された操作の軌跡と、記憶する軌跡情報１６３と、に基づいて軌跡を判定し、判定した軌跡が第３の軌跡１３３であった場合、設定温度を下げると共に、風量を増加させる制御情報Ｓ５を生成する。
【００５５】
ここで、制御部は、隣接する操作領域が並ぶ方向と交差する方向の操作の軌跡が境界領域１０７で検出され、当該操作の軌跡の始点側の一方の操作領域の操作方向を判定した結果と、他方の操作領域の操作方向が、判定した一方の操作領域の操作方向と逆方向であると判定した結果と、を含む制御情報Ｓ５を出力する。
【００５６】
具体的には、第３の軌跡１３３は、図３（ｃ）の紙面の左下側から右上側に向けてなされた操作の軌跡であることから、第１の操作領域１０５を反時計回り（矢印Ｂ方向）に、第２の操作領域１０６を時計回り（矢印Ａ方向）になぞる操作に似ている。従って制御部１６は、なされた操作の軌跡が、隣接する操作領域が並ぶ方向と交差する方向の操作の軌跡として第３の軌跡１３３を判定した場合、第３の軌跡１３３の始点側の一方の操作領域である第１の操作領域１０５に矢印Ｂ方向、他方の操作領域としての第２の操作領域１０６に矢印Ａ方向のなぞり操作がなされたとする制御情報Ｓ５を生成する。
【００５７】
・第４の軌跡１３４について
第４の軌跡１３４は、図３（ｄ）の紙面において、境界領域１０７内で、かつ、第２の操作領域１０６の上側から第１の操作領域１０５の下側に向かってなされた操作の軌跡である。制御部１６は、検出された操作の軌跡と、記憶する軌跡情報１６３と、に基づいて軌跡を判定し、判定した軌跡が第４の軌跡１３４であった場合、設定温度を上げると共に、風量を減少させる制御情報Ｓ５を生成する。
【００５８】
具体的には、第４の軌跡１３４は、図３（ｄ）の紙面の右上側から左下側に向けてなされた操作の軌跡であることから、第１の操作領域１０５を時計回り（矢印Ａ方向）に、第２の操作領域１０６を反時計回り（矢印Ｂ方向）になぞる操作に似ている。従って制御部１６は、なされた操作の軌跡が第４の軌跡１３４であると判定した場合、第１の操作領域１０５に矢印Ａ方向、第２の操作領域１０６に矢印Ｂ方向のなぞり操作がなされたとする制御情報Ｓ５を生成する。この第４の軌跡１３４は、第３の軌跡１３３の実質的に反対方向の軌跡となっている。
【００５９】
・第５の軌跡１３５について
第５の軌跡１３５は、図４（ａ）の紙面において、境界領域１０７内で、かつ、第１の操作領域１０５の上側から第２の操作領域１０６の下側に向かってなされた操作の軌跡である。制御部１６は、検出された操作の軌跡と、記憶する軌跡情報１６３と、に基づいて軌跡を判定し、判定した軌跡が第５の軌跡１３５であった場合、設定温度を上げると共に、風量を減少させる制御情報Ｓ５を生成する。
【００６０】
具体的には、第５の軌跡１３５は、図４（ａ）の紙面の左上側から右下側に向けてなされた操作の軌跡であることから、第１の操作領域１０５を時計回り（矢印Ａ方向）に、第２の操作領域１０６を反時計回り（矢印Ｂ方向）になぞる操作に似ている。従って制御部１６は、なされた操作の軌跡が第５の軌跡１３５であると判定した場合、第１の操作領域１０５に矢印Ａ方向、第２の操作領域１０６に矢印Ｂ方向のなぞり操作がなされたとする制御情報Ｓ５を生成する。
【００６１】
・第６の軌跡１３６について
第６の軌跡１３６は、図４（ｂ）の紙面において、境界領域１０７内で、かつ、第２の操作領域１０６の下側から第１の操作領域１０５の上側に向かってなされた操作の軌跡である。制御部１６は、検出された操作の軌跡と、記憶する軌跡情報１６３と、に基づいて軌跡を判定し、判定した軌跡が第６の軌跡１３６であった場合、設定温度を下げると共に、風量を増加させる制御情報Ｓ５を生成する。
【００６２】
具体的には、第６の軌跡１３６は、図４（ｂ）の紙面の左下側から右上側に向けてなされた操作の軌跡であることから、第１の操作領域１０５を反時計回り（矢印Ｂ方向）に、第２の操作領域１０６を時計回り（矢印Ａ方向）になぞる操作に似ている。従って制御部１６は、なされた操作の軌跡が第６の軌跡１３６であると判定した場合、第１の操作領域１０５に矢印Ｂ方向、第２の操作領域１０６に矢印Ａ方向のなぞり操作がなされたとする制御情報Ｓ５を生成する。この第６の軌跡１３６は、第５の軌跡１３５の実質的に反対方向の軌跡となっている。
【００６３】
・第７の軌跡１３７について
第７の軌跡１３７は、図４（ｃ）の紙面において、境界領域１０７内で、かつ、第１の操作領域１０５の下側から第２の操作領域１０６の下側に向けて行われた操作の軌跡である。制御部１６は、検出された操作の軌跡と、記憶する軌跡情報１６３と、に基づいて軌跡を判定し、判定した軌跡が第７の軌跡１３７であった場合、設定温度を下げると共に、風量を減少させる制御情報Ｓ５を生成する。
【００６４】
具体的には、第７の軌跡１３７は、図４（ｃ）の紙面の左下側から右下側に向けてなされた操作の軌跡であることから、第１の操作領域１０５を反時計回り（矢印Ｂ方向）に、第２の操作領域１０６を反時計回り（矢印Ｂ方向）になぞる操作に似ている。従って制御部１６は、なされた操作の軌跡が第７の軌跡１３７であると判定した場合、第１の操作領域１０５及び第２の操作領域１０６に矢印Ｂ方向のなぞり操作がなされたとする制御情報Ｓ５を生成する。
【００６５】
・第８の軌跡１３８について
第８の軌跡１３８は、図４（ｄ）の紙面において、境界領域１０７内で、かつ、第２の操作領域１０６の下側から第１の操作領域１０５の下側に向けて行われた操作の軌跡である。制御部１６は、検出された操作の軌跡と、記憶する軌跡情報１６３と、に基づいて軌跡を判定し、判定した軌跡が第８の軌跡１３８であった場合、設定温度を上げると共に、風量を増加させる制御情報Ｓ５を生成する。
【００６６】
具体的には、第８の軌跡１３８は、図４（ｄ）の紙面の右下側から左下側に向けてなされた操作の軌跡であることから、第１の操作領域１０５を時計回り（矢印Ａ方向）に、第２の操作領域１０６を時計回り（矢印Ａ方向）になぞる操作に似ている。従って制御部１６は、なされた操作の軌跡が第８の軌跡１３８であると判定した場合、第１の操作領域１０５及び第２の操作領域１０６に矢印Ａ方向のなぞり操作がなされたとする制御情報Ｓ５を生成する。この第８の軌跡１３８は、第７の軌跡１３７の実質的に反対方向の軌跡となっている。
【００６７】
以下に、本実施の形態に係るタッチパネル１の動作について、各図を参照しながら図５のフローチャートに従って説明する。
【００６８】
（動作）
車両３の電源が投入された後、タッチパネル１の制御部１６は、駆動信号Ｓ１を生成してタッチパッド１０に出力すると共に、周期的に検出情報Ｓ２を取得する（Ｓ１）。
【００６９】
制御部１６は、取得した検出情報Ｓ２としきい値１６０とを比較して操作指が検出されたか否かを判定する。制御部１６は、操作指が検出されると（Ｓ２：Ｙｅｓ）、以前の周期で操作指が検出されたか否かを蓄積情報１６１に基づいて判定する。
【００７０】
制御部１６は、蓄積情報１６１が有る場合（Ｓ３：Ｙｅｓ）、検出された操作指が境界領域１０７内で検出されたか否かを判定する。
【００７１】
制御部１６は、境界領域１０７内で操作指が検出された場合（Ｓ４：Ｙｅｓ）、軌跡情報１６３に基づいて軌跡を判定する（Ｓ５）。
【００７２】
制御部１６は、判定した軌跡に基づいて制御情報Ｓ５を生成して通信部１４を介して車両通信システム３５に出力すると共に（Ｓ６）、蓄積情報１６１をリセットする（Ｓ７）。次に、制御部１６は、ステップ１に戻って検出情報Ｓ２を取得する。
【００７３】
判定された軌跡が第１の軌跡１３１だった場合、空調装置４は、取得した制御情報Ｓ５に基づいて設定温度を上げると共に、風量を増加させる。
【００７４】
ここでステップ２において、制御部１６は、操作指が検出されなかった場合（Ｓ２：Ｎｏ）、蓄積情報１６１が有るか否かを確認する。制御部１６は、蓄積情報１６１が有る場合は（Ｓ７：Ｙｅｓ）、蓄積情報１６１をリセットして（Ｓ８）、ステップ１に戻って検出情報Ｓ２を取得する。また制御部１６は、蓄積情報１６１がない場合（Ｓ７：Ｎｏ）、ステップ１に戻って検出情報Ｓ２を取得する。
【００７５】
ステップ３において、制御部１６は、操作指が検出されたものの蓄積情報１６１がない場合（Ｓ３：Ｎｏ）、検出情報Ｓ２に基づいて制御情報Ｓ５を生成して、通信部１４を介して車両通信システム３５に出力すると共に、操作指が検出された座標を含む情報を蓄積情報１６１として蓄積する（Ｓ９）。
【００７６】
ステップ４において、制御部１６は、操作指が検出されると共に、蓄積情報１６１が有るものの操作が境界領域１０７になされていない場合（Ｓ４：Ｎｏ）、検出情報Ｓ２に基づいて制御情報Ｓ５を生成して、通信部１４を介して車両通信システム３５に出力すると共に、操作指が検出された座標を含む情報を蓄積情報１６１として蓄積する（Ｓ１０）。
【００７７】
制御部１６は、この一連の動作を電源が遮断されるまで継続して実施する。
【００７８】
（第１の実施の形態の効果）
本実施の形態に係るタッチパネル１は、操作性を向上させることができる。具体的には、タッチパネル１は、境界領域１０７になされた操作の軌跡に基づいて、この境界領域１０７に隣接する第１の操作領域１０５及び第２の操作領域１０６に割り当てられた機能の状態を連動して変更することができるので、別々に操作を行う場合と比べて、操作負荷が小さくなり操作性が向上する。
【００７９】
またタッチパネル１は、例えば、設定温度と風量とを、一度のなぞり操作により調整することができるので、別々に調整する場合と比べて、入力に要する時間が短縮される。
【００８０】
タッチパネル１は、操作者が複雑な操作を覚える必要がなく、直感的に操作することができると共にタッチパネル１に対する操作者の視線移動を抑制することができる。
【００８１】
［第２の実施の形態］
第２の実施の形態は、第１の操作領域１０５及び第２の操作領域１０６が、縦に並んでいる点で他の実施の形態と異なっている。
【００８２】
図６（ａ）は、第２の実施の形態に係るタッチパネルを操作面側から見た概略図である。この図６（ａ）では、互いに逆向きとなる軌跡を２方向に向く１つの矢印で示している。なお、以下に記載する実施の形態において、第１の実施の形態と同じ機能及び構成を有する部分は、第１の実施の形態と同じ符号を付し、その説明は省略するものとする。
【００８３】
本実施の形態のタッチパネル１は、図６（ａ）に示すように、第１の操作領域１０５及び第２の操作領域１０６が、縦方向に一列に並んで配置されている。
【００８４】
第１の操作領域１０５は、図６（ａ）の紙面において、時計回り（矢印Ａ方向）に操作が行われると、設定温度が上がり、反時計回り（矢印Ｂ方向）に操作が行われると、設定温度が下がる操作領域である。また第２の操作領域１０６は、図６（ａ）の紙面において、時計回り（矢印Ａ方向）に操作が行われると、風量が増加し、反時計回り（矢印Ｂ方向）に操作が行われると、風量が減少する操作領域である。
【００８５】
図６（ａ）では、第１の操作領域１０５の左側から第２の操作領域１０６の左側に向かって行われる操作の一方の軌跡と、その逆方向の他方の軌跡と、を第１の軌跡群１４１として示している。当該一方の軌跡は、第１の操作領域１０５を矢印Ｂ方向に操作すると共に、第２の操作領域１０６を矢印Ｂ方向に操作する軌跡である。当該他方の軌跡は、第２の操作領域１０６を矢印Ａ方向に操作すると共に、第１の操作領域１０５を矢印Ａ方向に操作する軌跡である。
【００８６】
また図６（ａ）では、第１の操作領域１０５の右側から第２の操作領域１０６の右側に向かって行われる操作の一方の軌跡と、その逆方向の他方の軌跡と、を第２の軌跡群１４２として示している。当該一方の軌跡は、第１の操作領域１０５を矢印Ａ方向に操作すると共に、第２の操作領域１０６を矢印Ａ方向に操作する軌跡である。当該他方の軌跡は、第２の操作領域１０６を矢印Ｂ方向に操作すると共に、第１の操作領域１０５を矢印Ｂ方向に操作する軌跡である。
【００８７】
また図６（ａ）では、第１の操作領域１０５の左側から第２の操作領域１０６の右側に向かって交差して行われる操作の一方の軌跡と、その逆方向の他方の軌跡と、を第３の軌跡群１４３として示している。当該一方の軌跡は、第１の操作領域１０５を矢印Ｂ方向に操作すると共に、第２の操作領域１０６を矢印Ａ方向に操作する軌跡である。当該他方の軌跡は、第２の操作領域１０６を矢印Ｂ方向に操作すると共に、第１の操作領域１０５を矢印Ａ方向に操作する軌跡である。
【００８８】
さらに図６（ａ）では、第１の操作領域１０５の右側から第２の操作領域１０６の左側に向かって交差して行われる操作の一方の軌跡と、その逆方向の他方の軌跡と、を第４の軌跡群１４４として示している。当該一方の軌跡は、第１の操作領域１０５を矢印Ａ方向に操作すると共に、第２の操作領域１０６を矢印Ｂ方向に操作する軌跡である。当該他方の軌跡は、第２の操作領域１０６を矢印Ａ方向に操作すると共に、第１の操作領域１０５を矢印Ｂ方向に操作する軌跡である。
【００８９】
制御部１６は、上述の軌跡の判定に基づいた制御情報Ｓ５を生成して出力する。
【００９０】
［第３の実施の形態］
第３の実施の形態は、第１の操作領域１１１〜第３の操作領域１１３を有する点で他の実施の形態と異なっている。
【００９１】
図６（ｂ）は、第３の実施の形態に係るタッチパネルを操作面側から見た概略図である。本実施の形態のタッチパネル１は、第１の操作領域１１１〜第３の操作領域１１３が、図６（ｂ）の紙面の横方向に一列にならんでいる。また第１の操作領域１１１と第２の操作領域１１２との間には、第１の境界領域１１４が形成されている。さらに第２の操作領域１１２と第３の操作領域１１３との間には、第２の境界領域１１５が形成されている。
【００９２】
この図６（ｂ）では、上述の操作の軌跡以外の軌跡を含む第１の軌跡群１４５及び第２の軌跡群１４６を図示している。第１の軌跡群１４５及び第２の軌跡群１４６は、第１の境界領域１１４及び第２の境界領域１１５を跨ぐ操作の軌跡となっている。
【００９３】
具体的には、図６（ｂ）では、第１の操作領域１１１の上部、第２の操作領域１１２の上部、及び第３の操作領域１１３の上部を経由する一方の軌跡と、その逆方向の他方の軌跡と、を第１の軌跡群１４５として示している。当該一方の軌跡は、第１の操作領域１１１〜第３の操作領域１１３を矢印Ａ方向に操作する軌跡である。当該他方の軌跡は、第１の操作領域１１１〜第３の操作領域１１３を矢印Ｂ方向に操作する軌跡である。
【００９４】
また図６（ｂ）では、第１の操作領域１１１の下部、第２の操作領域１１２の下部、及び第３の操作領域１１３の下部を経由する一方の軌跡と、その逆方向の他方の軌跡と、を第２の軌跡群１４６として示している。当該一方の軌跡は、第１の操作領域１１１〜第３の操作領域１１３を矢印Ｂ方向に操作する軌跡である。当該他方の軌跡は、第１の操作領域１１１〜第３の操作領域１１３を矢印Ａ方向に操作する軌跡である。
【００９５】
制御部１６は、この第１の境界領域１１４及び第２の境界領域１１５に跨って行われた第１の軌跡群１４５及び第２の軌跡群１４６に対応する軌跡が判定された場合、上述の操作の方向に基づいた制御情報Ｓ５を生成して出力する。
【００９６】
制御部１６は、第１の境界領域１１４になされた操作の軌跡、及び第２の境界領域１１５になされた操作の軌跡については、上述の実施の形態と同様に判定して制御情報Ｓ５を生成して出力する。
【００９７】
［第４の実施の形態］
第４の実施の形態は、複数の操作領域が同心円状に配置されている点で他の実施の形態と異なっている。
【００９８】
図７（ａ）は、第４の実施の形態に係るタッチパネルの操作領域を示す概略図である。本実施の形態のタッチパネル１は、図７（ａ）に示すように、第１の操作領域１１６及び第２の操作領域１１７が、中心を一致させて同心円状に配置され、この第１の操作領域１１６と第２の操作領域１１７との間に境界領域１１８が形成されている。
【００９９】
この第１の操作領域１１６は、一例として、図７（ａ）の紙面において、時計回り（矢印Ａ方向）に操作がなされると、設定温度が上がり、反時計回り（矢印Ｂ方向）に操作がなされると、設定温度が下がる操作領域である。
【０１００】
また第２の操作領域１１７は、一例として、図７（ａ）の紙面において、時計回り（矢印Ａ方向）に操作がなされると、風量が増加し、反時計回り（矢印Ｂ方向）に操作がなされると、風量が減少する操作領域である。
【０１０１】
図７（ａ）では、境界領域１１８を時計回りに操作した際の一方の軌跡と、その逆方向の他方の軌跡と、を軌跡群１４７として示している。当該一方の軌跡は、境界領域１１８に沿って時計回りに操作が行われることにより、第１の操作領域１１６及び第２の操作領域１１７を矢印Ａ方向に操作する軌跡である。また当該他方の軌跡は、境界領域１１８に沿って反時計回りに操作が行われることにより、第１の操作領域１１６及び第２の操作領域１１７を矢印Ｂ方向に操作する軌跡である。
【０１０２】
制御部１６は、この境界領域１１８に沿った操作の軌跡に基づいて、上述の実施の形態と同様に判定して制御情報Ｓ５を生成して出力する。
【０１０３】
［第５の実施の形態］
第５の実施の形態は、軌跡１４８が軌跡画像１４９として表示部に表示される点で他の実施の形態と異なっている。
【０１０４】
図７（ｂ）は、第５の実施の形態に係るタッチパッドの第１の境界領域になされた操作の軌跡を示す概略図であり、図７（ｃ）は、第１の境界領域から第２の境界領域に跨ってなされた操作の軌跡を示す概略図である。
【０１０５】
本実施の形態に係る制御部１６は、操作の軌跡１４８を表示部１２に軌跡画像１４９として表示させる情報を含む制御情報Ｓ５を出力するように構成されている。
【０１０６】
また制御部１６は、一方の操作領域の操作に関わる第１の軌跡、及び他方の操作領域の操作に関わる第２の軌跡、に操作の軌跡を分割し、第１の軌跡と第２の軌跡との切り替わりに応じて軌跡画像１４９を、第１の軌跡画像１４９ａと第２の軌跡画像１４９ｂとに切り替えて表示させるように構成されている。
【０１０７】
具体的には、制御部１６は、第１の操作領域１０５と第２の操作領域１０６との間の境界領域１０７の中央に境界１０７ａを設定し、第１の操作領域１０５側の第１の境界領域１０７ｂと、第２の操作領域１０６側の第２の境界領域１０７ｃと、に境界領域１０７を分割する。
【０１０８】
制御部１６は、一例として、図７（ｂ）及び図７（ｃ）の紙面において、第１の操作領域１０５の下部から第２の操作領域１０６の上部に向けて操作が行われた場合、第１の境界領域１０７ｂに操作指９が位置している間は、第１の軌跡画像１４９ａを表示部１２に表示させ、第２の境界領域１０７ｃに操作指９が位置している間は、第１の軌跡画像１４９ａに続けて、第２の軌跡画像１４９ｂを表示部１２に表示させる。
【０１０９】
この第１の軌跡画像１４９ａ及び第２の軌跡画像１４９ｂは、軌跡画像１４９を形成している。また第１の軌跡画像１４９ａは、第２の軌跡画像１４９ｂと異なる色や模様等が施され、識別が可能となるように構成されている。
【０１１０】
つまり、操作指９が第１の境界領域１０７ｂに位置する間は、第１の操作領域１０５が操作されているとして第１の軌跡画像１４９ａが表示されると共に、第１の操作領域１０５に割り当てられた機能の状態が変更される。また、操作指９が移動して第２の境界領域１０７ｃに位置する間は、第１の操作領域１０５の機能の状態と、第２の操作領域１０６の機能の状態とが、連動して変更される。
【０１１１】
従って、操作指９が、第１の軌跡画像１４９ａが表示されている間は、第１の操作領域１０５の機能の状態が変更され、第２の軌跡画像１４９ｂが表示されると、第１の操作領域１０５の機能の状態と、第２の操作領域１０６の機能の状態と、が連動して変更される。
【０１１２】
本実施の形態のタッチパネル１は、状態の変更の非連動と連動とが、表示部１２に表示された軌跡画像１４９により識別できるので、操作者がこの非連動と連動を認識し易く、操作性が向上する。
【０１１３】
以上述べた少なくとも１つの実施の形態のタッチパネル１によれば、操作性を向上させることが可能となる。
【０１１４】
なお上述の実施の形態の操作領域の形状は、ドーナツ形状に限定されず、接続される電子機器の仕様に応じて楕円形等の異なる形状であっても良い。また操作領域は、矩形状であっても良いし、接続される電子機器の仕様に応じて任意の形状であっても良い。
【０１１５】
以上、本発明のいくつかの実施の形態及び変形例を説明したが、これらの実施の形態及び変形例は、一例に過ぎず、特許請求の範囲に係る発明を限定するものではない。これら新規な実施の形態及び変形例は、その他の様々な形態で実施されることが可能であり、本発明の要旨を逸脱しない範囲で、種々の省略、置き換え、変更等を行うことができる。また、これら実施の形態及び変形例の中で説明した特徴の組合せの全てが発明の課題を解決するための手段に必須であるとは限らない。さらに、これら実施の形態及び変形例は、発明の範囲及び要旨に含まれるとともに、特許請求の範囲に記載された発明とその均等の範囲に含まれる。
【符号の説明】
【０１１６】
１…タッチパネル、３…車両、４…空調装置、５…音楽再生装置、６…動画再生装置、９…操作指、１０…タッチパッド、１２…表示部、１４…通信部、１６…制御部、３０…センターコンソール、３５…車両通信システム、３６…車両ＬＡＮ、３７…車両制御部、１００…操作面、１０１…第１の電極、１０２…第２の電極、１０５…第１の操作領域、１０６…第２の操作領域、１０７…境界領域、１０７ａ…境界、１０７ｂ…第１の境界領域、１０７ｃ…第２の境界領域、１１１…第１の操作領域、１１２…第２の操作領域、１１３…第３の操作領域、１１４…第１の境界領域、１１５…第２の境界領域、１１６…第１の操作領域、１１７…第２の操作領域、１１８…境界領域、１２０…表示画像、１２１…第１のノブ表示領域、１２２…第２のノブ表示領域、１２５…温度表示領域、１２６…吹出口表示領域、１２７…風量表示領域、１３１…第１の軌跡、１３２…第２の軌跡、１３３…第３の軌跡、１３４…第４の軌跡、１３５…第５の軌跡、１３６…第６の軌跡、１３７…第７の軌跡、１３８…第８の軌跡、１４１…第１の軌跡群、１４２…第２の軌跡群、１４３…第３の軌跡群、１４４…第４の軌跡群、１４５…第１の軌跡群、１４６…第２の軌跡群、１４７…軌跡群、１４８…軌跡、１４９…軌跡画像、１４９ａ…第１の軌跡画像、１４９ｂ…第２の軌跡画像、１６０…しきい値、１６１…蓄積情報、１６２…画像情報、１６３…軌跡情報
【図１】
2015156082.tif 000003
【図２】
2015156082.tif 000004
【図３】
2015156082.tif 000005
【図４】
2015156082.tif 000006
【図５】
2015156082.tif 000007
【図６】
2015156082.tif 000008
【図７】
2015156082.tif 000009